(57)【要約】      （修正有）【課題】便座昇降装置を便器から取り外すことなく、簡単な操作によってリンク部材の支点の位置を変更することのできる便座昇降装置を提供する。【解決手段】便座昇降装置１０の支持機構４００は、一端が便器固定台２００に対して回動自在に取り付けられ、他端が便座受け台１００に対して回動自在に取り付けられており、大便器本体Ｂｗの左右側部にそれぞれ配置された一対の上アーム部材４２０を有し、それぞれの上アーム部材４２０には、便座Ｓｔが便座受け台１００と共に上昇した際における、便座Ｓｔの傾斜角度を変更するための操作板１２２が取り付けられており、操作板１２２は、上アーム部材４２０から取り外されることなく、便座受け台１００における上アーム部材４２０の回動中心の位置を変更するものである。【選択図】図２
2014188076.tif 000002
【特許請求の範囲】
【請求項１】
便器上において便座を下方から支える支持部材と、前記便器の左右側部において、それぞれ前記支持部材から下方に伸びるように形成された一対の昇降部材と、を有する便座受け台と、
前記便器の左右側部にそれぞれ配置された一対の側面部材を有し、前記便器に対して固定されている便器固定台と、
前記便座受け台が昇降可能な状態で、前記昇降部材と前記側面部材とを連結する支持機構と、
前記便座を前記便座受け台と共に昇降させるために、前記便座受け台に対して駆動力を加える駆動機構と、を備えており、
前記支持機構は、
一端が前記側面部材に対して回動自在に取り付けられ、他端が前記昇降部材に対して回動自在に取り付けられており、前記便器の左右側部にそれぞれ配置された一対の上アーム部材と、
一端が前記側面部材に対して回動自在に取り付けられ、他端が前記昇降部材に対して回動自在に取り付けられており、前記上アーム部材の下方において前記便器の左右側部にそれぞれ配置された一対の下アーム部材と、を有するものであって、
それぞれの前記上アーム部材には、前記便座が前記便座受け台と共に上昇した際における、前記便座の傾斜角度を変更するための操作部材が取り付けられており、
前記操作部材は、前記上アーム部材から取り外されることなく、前記昇降部材における前記上アーム部材の回動中心の位置を変更するものであることを特徴とする便座昇降装置。
【請求項２】
前記操作部材は、前記上アーム部材に対して回転することにより、前記昇降部材における前記上アーム部材の回動中心の位置を変更するものであることを特徴とする、請求項１に記載の便座昇降装置。
【請求項３】
前記上アーム部材、又は、前記昇降部材のいずれか一方には、前記操作部材に向かって突出する凸部が形成されており、
前記昇降部材における前記上アーム部材の回動中心の位置が変更される際において、
前記操作部材が、前記凸部を乗り越えて移動するように構成されていることを特徴とする、請求項１又は２に記載の便座昇降装置。
【請求項４】
前記操作部材を所定の位置で停止させる位置規制機構を有していることを特徴とする、請求項１乃至３のいずれか一項に記載の便座昇降装置。
【請求項５】
前記操作部材は、所定の位置において、前記上アーム部材又は前記昇降部材に対してネジにより固定されることを特徴とする、請求項１乃至４のいずれか一項に記載の便座昇降装置。
【発明の詳細な説明】
【技術分野】
【０００１】
本発明は、腰掛便器の使用者に対する負担を軽減するために便座を昇降させる便座昇降装置に関する。
【背景技術】
【０００２】
腰掛便器を使用する際に便座に着座する動作や、便座から立ち上がる動作は、身体障害者や高齢者などの身体には大きな負担となる。そこで、このような動作を補助し、使用者への負担を軽減することを目的として、電気的な駆動力によって便座を昇降させる便座昇降装置が開発されており、既にその普及が始まっている。
【０００３】
下記特許文献１には、便座を下方から支える便座受け台を備えており、当該便座受け台を、アクチュエータによって便座と共に昇降させる構成の便座昇降装置が記載されている。この便座昇降装置において、便座受け台は、便器に対して昇降可能な状態となるように複数のリンク部材によって支持されている。
【０００４】
また、下記特許文献１に記載されている便座昇降装置は、リンク部材の支点（回動中心）の位置を変更することにより、便座が最も上方まで上昇した際における便座の傾斜角度を変更することが可能となっている。便座が上昇した際に水平な状態となるか、それとも前方側に向かって下るように傾斜した状態となるかを、使用者の好みや身体状況等に応じて選択することが可能となっている。
【先行技術文献】
【特許文献】
【０００５】
【特許文献１】特許第４５１７８０６号公報
【発明の概要】
【発明が解決しようとする課題】
【０００６】
上記特許文献１に記載されている便座昇降装置において、リンク部材の支点の位置を変更する際は、当該支点を含む板状部品を便座昇降装置から一度取り外し、その位置を変更した状態で再び便座昇降装置に取り付ける必要がる。このため、狭いトイレ空間内においては、板状部品を取り外す作業や、その位置を目視で確認しながら再び取り付ける作業を行うことが困難な場合があった。その場合には、便座昇降装置を一度腰掛便器から取り外し、トイレ空間の外においてリンク部材の支点の位置を変更する作業が行われていた。
【０００７】
本発明はこのような課題に鑑みてなされたものであり、その目的は、便座昇降装置を便器から取り外すことなく、簡単な操作によってリンク部材の支点の位置を変更することのできる便座昇降装置を提供することにある。
【課題を解決するための手段】
【０００８】
上記課題を解決するために、本発明に係る便座昇降装置は、便器上において便座を下方から支える支持部材と、前記便器の左右側部において、それぞれ前記支持部材から下方に伸びるように形成された一対の昇降部材と、を有する便座受け台と、前記便器の左右側部にそれぞれ配置された一対の側面部材を有し、前記便器に対して固定されている便器固定台と、前記便座受け台が昇降可能な状態で、前記昇降部材と前記側面部材とを連結する支持機構と、前記便座を前記便座受け台と共に昇降させるために、前記便座受け台に対して駆動力を加える駆動機構と、を備えており、前記支持機構は、一端が前記側面部材に対して回動自在に取り付けられ、他端が前記昇降部材に対して回動自在に取り付けられており、前記便器の左右側部にそれぞれ配置された一対の上アーム部材と、一端が前記側面部材に対して回動自在に取り付けられ、他端が前記昇降部材に対して回動自在に取り付けられており、前記上アーム部材の下方において前記便器の左右側部にそれぞれ配置された一対の下アーム部材と、を有するものであって、それぞれの前記上アーム部材には、前記便座が前記便座受け台と共に上昇した際における、前記便座の傾斜角度を変更するための操作部材が取り付けられており、前記操作部材は、前記上アーム部材から取り外されることなく、前記昇降部材における前記上アーム部材の回動中心の位置を変更するものであることを特徴とする。
【０００９】
本発明に係る便座昇降装置は、便座受け台と、便器固定台と、駆動機構と、支持機構とを備えている。便座受け台は、便座と共に昇降する部材であって、便器上において便座を下方から支える支持部材と、便器の左右側部において、それぞれ支持部材から下方に伸びるように形成された一対の昇降部材とを有している。便器固定台は、便器に対して固定されている部材であって、便器の左右側部にそれぞれ配置された一対の側面部材を有している。
【００１０】
駆動機構は、便座を便座受け台と共に昇降させるために、便座受け台に対して駆動力を加えるものである。
【００１１】
支持機構は、リンクとして機能する複数のアーム部材を備えたリンク機構であって、便座受け台が昇降可能な状態で、便座受け台の昇降部材と、便器固定台の側面部材とを連結するものである。支持機構は、便器の左右側部にそれぞれ配置された一対の上アーム部材と、便器の左右側部にそれぞれ配置された一対の下アーム部材と、を有している。
【００１２】
それぞれの上アーム部材は、一端が便器固定台の側面部材に対して回動自在に取り付けられ、他端が便座受け台の昇降部材に対して回動自在に取り付けられている。それぞれの下アーム部材は、一端が便器固定台の側面部材に対して回動自在に取り付けられ、他端が便座受け台の昇降部材に対して回動自在に取り付けられている。また、下アーム部材は上アーム部材よりも下方側に取り付けられている。
【００１３】
このように、それぞれの側面部材と昇降部材とは、二本のアーム部材（リンク）を介して互いに接続されている。支持機構は、便器の左右側部にそれぞれ配置された四節リンク機構ということができる。
【００１４】
本発明においては、便座が便座受け台と共に上昇した際における、便座の傾斜角度を変更するための操作部材を更に有している。操作部材はそれぞれの上アーム部材に取り付けられており、便器の左右側部に配置されている。便座昇降装置の使用者、又は便座昇降装置を設置する作業者は、これら操作部材を操作することによって、昇降部材における上アーム部材の回動中心の位置を変更することができる。昇降部材における上アーム部材の回動中心の位置を変更することにより、便座が便座受け台と共に上昇した際における、便座の傾斜角度が変更される。
【００１５】
操作部材は、上アーム部材から取り外されることなく、昇降部材における上アーム部材の回動中心の位置を変更するものとなっている。このため、狭いトイレ空間の中においても、便座の傾斜角度を容易に変更することができる。
【００１６】
また、本発明に係る便座昇降装置では、前記操作部材は、前記上アーム部材に対して回転することにより、前記昇降部材における前記上アーム部材の回動中心の位置を変更するものであることも好ましい。
【００１７】
この好ましい態様では、操作部材は、上アーム部材に対して回転することにより、昇降部材における上アーム部材の回動中心の位置を変更するものである。このため、回動中心の位置を変更するための操作を更に容易に行うことができる。
【００１８】
また、本発明に係る便座昇降装置では、前記上アーム部材、又は、前記昇降部材のいずれか一方には、前記操作部材に向かって突出する凸部が形成されており、前記昇降部材における前記上アーム部材の回動中心の位置が変更される際において、前記操作部材が、前記凸部を乗り越えて移動するように構成されていることも好ましい。
【００１９】
この好ましい態様では、上アーム部材、又は、昇降部材のいずれか一方に、操作部材に向かって突出する凸部が形成されている。昇降部材における上アーム部材の回動中心の位置が変更される際においては、操作部材が、凸部を乗り越えて移動する。
【００２０】
このような構成とすることにより、操作部材を操作する者に対し、操作部材が凸部を乗り越える際においてクリック感を感じさせることができる。当該クリック感により、回動中心の位置を変更する操作が完了したかどうかを認識させることができる。
【００２１】
また、本発明に係る便座昇降装置では、前記操作部材を所定の位置で停止させる位置規制機構を有していることも好ましい。
【００２２】
この好ましい態様では、操作部材を所定の位置で停止させる位置規制機構を有している。このような位置規制機構により、操作された後における操作部材の位置が所定の位置以外となってしまうことが防止される。このため、便座が便座受け台と共に上昇した際における便座の傾斜角度が、想定外の角度となってしまうことが防止される。
【００２３】
また、本発明に係る便座昇降装置では、前記操作部材は、所定の位置において、前記上アーム部材又は前記昇降部材に対してネジにより固定されることも好ましい。
【００２４】
この好ましい態様では、操作部材は、所定の位置において、上アーム部材又は昇降部材に対してネジにより固定される。このため、操作部材の位置が所定の位置からずれてしまうことが防止される。
【発明の効果】
【００２５】
本発明によれば、便座昇降装置を便器から取り外すことなく、簡単な操作によってリンク部材の支点の位置を変更することのできる便座昇降装置を提供することができる。
【図面の簡単な説明】
【００２６】
【図１】本発明の一実施形態に係る便座昇降装置、及びこれを搭載した水洗大便器装置を示した斜視図である。
【図２】図１に示した便座昇降装置によって便座が下降した状態の水洗大便器装置を、右側から見た側面図である。
【図３】図１に示した状態の水洗大便器装置を、右側から見た側面図である。
【図４】図２に示した状態の水洗大便器装置を、左側から見た側面図である。
【図５】図２に示した状態の水洗大便器装置を、前方側から見た正面図である。
【図６】図１に示した便座昇降装置のうち、モーターユニットの構成を説明するための分解組立図である。
【図７】図２に示した水洗大便器装置において、昇降部材における上アーム部材の回動中心の位置が変更された状態を示す側面図である。
【図８】図７に示した水洗大便器装置において、便座が上昇した状態を示す側面図である。
【発明を実施するための形態】
【００２７】
以下、添付図面を参照しながら本発明の実施の形態について説明する。説明の理解を容易にするため、各図面において同一の構成要素に対しては可能な限り同一の符号を付して、重複する説明は省略する。
【００２８】
図１は、本発明の一実施形態に係る便座昇降装置１０、及びこれを搭載した水洗大便器装置Ｃｄを示した斜視図である。水洗大便器装置Ｃｄは様式の腰掛便器であって、大便器本体（ボウル部）Ｂｗと、大便器本体Ｂｗの上面側に設置された便座Ｓｔと、により構成されている。
【００２９】
尚、以下の説明においては、特に断らない限り、便座Ｓｔに着座した状態の使用者から見て右側のことを「右側」と称し、便座Ｓｔに着座した状態の使用者から見て左側のことを「左側」と称することとする。また、便座Ｓｔに着座した状態の使用者から見て前方側のことを「前側」又は「前方側」と称し、便座Ｓｔに着座した状態の使用者から見て後方側のことを「後側」又は「後方側」と称することとする。
【００３０】
水洗大便器装置Ｃｄは、便座昇降装置１０を搭載することによって便座Ｓｔを昇降させることが可能となっている。図１は、便座昇降装置１０によって便座Ｓｔが上昇した状態を示している。図１に示したように、便座Ｓｔが可動範囲のうち最も上方まで上昇した際においては、便座Ｓｔは前方側に向かって下るように傾斜した状態となる。
【００３１】
使用者は、まず便座Ｓｔをこのように上昇させてから便座Ｓｔに腰掛ける。その後、図示しない操作部を操作することによって、便座Ｓｔを可動範囲のうち最も下方まで下降させる。また、水洗大便器装置Ｃｄの使用が終了した後（用便後）においては、使用者は図示しない操作部を操作することによって、便座Ｓｔを再び上昇させ、図１の状態とした後で立ち上がる。このように、水洗大便器装置Ｃｄの使用者は、全体重を自らの力で支えることなく便座Ｓｔに着座したり、便座Ｓｔから立ち上がったりすることができる。便座昇降装置１０によって使用者への負担が軽減されている。
【００３２】
便座昇降装置１０は、便座受け台１００と、便器固定台２００と、支持機構４００と、モーターユニット３００（図１では一部のみ図示）と、を有している。
【００３３】
便座受け台１００は、便座Ｓｔと共に昇降する部材であって、大便器本体Ｂｗ上において便座Ｓｔを下方から支える板状の支持部材１１０と、支持部材１１０の右側端部から下方に伸びるように形成された板状の右側昇降部材１２０と、支持部材１１０の左側端部から下方に伸びるように形成された板状の左側昇降部材１３０と、を有している。支持部材１１０の上面は便座Ｓｔの下面に当接しており、両者はボルトによって互いに固定されている。右側昇降部材１２０と左側昇降部材１３０とは互いに平行であって、いずれも支持部材１１０に対して垂直となっている。また、右側昇降部材１２０は大便器本体Ｂｗの右側側面と対向するように配置されており、左側昇降部材１３０は大便器本体Ｂｗの左側側面と対向するように配置されている。後に説明するように、便座Ｓｔ及び便座受け台１００を上昇させるための力は、右側昇降部材１２０と左側昇降部材１３０の両方に対して加えられる。
【００３４】
便器固定台２００は、大便器本体Ｂｗに対して固定されている部材である。便器固定台２００は、大便器本体Ｂｗの上面を覆うように配置された天板２１０と、天板２１０の右側端部から下方に伸びるように形成された右側側板２２０と、天板２１０の左側端部から下方に伸びるように形成された左側側板２３０と、を有している。天板２１０の下面は大便器本体Ｂｗの上面に当接しており、両者はボルトによって互いに固定されている。右側側板２２０と左側側板２３０とは互いに平行であって、いずれも天板２１０に対して垂直となっている。また、右側側板２２０はその一部が右側昇降部材１２０と対向するように配置されており、左側側板２３０はその一部が左側昇降部材１３０と対向するように配置されている。
【００３５】
支持機構４００は、便座受け台１００を昇降可能な状態で支持するように、便座受け台１００と便器固定台２００とを連結するリンク機構である。支持機構４００は、右側昇降部材１２０と右側側板２２０とを連結する右側支持機構４０１と、左側昇降部材１３０と左側側板２３０とを連結する左側支持機構４０２とにより構成されている。
【００３６】
図２は、便座昇降装置１０によって便座Ｓｔが下降した状態の水洗大便器装置Ｃｄを、右側から見た側面図である。尚、この状態における右側支持機構４０１は、右側昇降部材１２０よりも内側（大便器本体Ｂｗ側）となるため、実際には右側昇降部材１２０に隠蔽されて外側から見ることはできない。しかし、図２においては説明の便宜上、右側昇降部材１２０の内部を透視するように右側支持機構４０１を描いている。以下の説明で参照する他の図においても、同様の方法により右側支持機構４０１及び左側支持機構４０２を描いている。
【００３７】
図２に示したように、右側支持機構４０１は、下方側に配置されたリンクである下アーム部材４１０と、上方側に配置されたリンクである上アーム部材４２０とを有している。
【００３８】
下アーム部材４１０は板状のリンクであって、リンク機構のジョイントの一つである節４１２を介して、右側側板２２０の外側面に対して取り付けられている。下アーム部材４１０は、節４１２を中心に、右側側板２２０の外側面に沿って回動することが可能となっている。
【００３９】
また、下アーム部材４１０のうち節４１２よりも前方側の端部は、リンク機構のジョイントの一つである節４１３を介して、右側昇降部材１２０の内側面に固定された接続板１２１に対して取り付けられている。下アーム部材４１０は、節４１３を中心に、右側昇降部材１２０に対して相対的に回動することが可能となっている。
【００４０】
上アーム部材４２０は板状のリンクであって、リンク機構のジョイントの一つである節４２２を介して、右側側板２２０の外側面に対して取り付けられている。上アーム部材４２０は、節４２２を中心に、右側側板２２０の外側面に沿って回動することが可能となっている。
【００４１】
また、上アーム部材４２０のうち節４２２よりも前方側の端部は、リンク機構のジョイントの一つである節４２３を介して、右側昇降部材１２０の内側面に固定された操作板１２２に対して取り付けられている。上アーム部材４２０は、節４２３を中心に、右側昇降部材１２０に対して相対的に回動することが可能となっている。
【００４２】
以上のように、右側支持機構４０１は、右側昇降部材１２０と右側側板２２０とを４つの節（節４１２、節４１３、節４２２、節４２３）によって連結する四節リンク機構として構成されている。
【００４３】
下アーム部材４１０のうち節４１２よりも後方側の端部には、外側（右側）に向けて突出する突起４１１が形成されている。突起４１１を後方且つ下方に向けて引くような力を加えると、図３に示したように、下アーム部材４１０は節４１２を中心に回動し、節４１３が上昇する。同時に、上アーム部材４２０は節４２２を中心に回動し、節４２３が上昇する。このように、突起４１１を後方且つ下方に向けて引くような力は、節４１３及び節４２３と共に右側昇降部材１２０を上昇させる力に変換される。後に説明するように、モーターユニット３００は、突起４１１に一端が接続されたワイヤＷ１を後方且つ下方に向けて引くことにより、右側昇降部材１２０及び便座Ｓｔを上昇させる。
【００４４】
ところで、節４１３から節４２３までの距離は、節４１２から節４２２までの距離よりも短くなっている。このため、下アーム部材４１０及び上アーム部材４２０が上記のように回動して右側昇降部材１２０及び便座Ｓｔが上昇した際においては、図１及び図３に示したように、便座Ｓｔは前方側に向かって下るように傾斜した状態となる。
【００４５】
図４は、便座昇降装置１０によって便座Ｓｔが下降した状態の水洗大便器装置Ｃｄを、左側から見た側面図である。尚、この状態における左側支持機構４０２は、左側昇降部材１３０よりも内側（大便器本体Ｂｗ側）となるため、実際には左側昇降部材１３０に隠蔽されて外側から見ることはできない。しかし、図４においては説明の便宜上、左側昇降部材１３０の内部を透視するように左側支持機構４０２を描いている。
【００４６】
図４に示したように、左側支持機構４０２は、下方側に配置されたリンクである下アーム部材４３０と、上方側に配置されたリンクである上アーム部材４４０とを有している。
【００４７】
下アーム部材４３０は板状のリンクであって、リンク機構のジョイントの一つである節４３２を介して、左側側板２３０の外側面に対して取り付けられている。下アーム部材４３０は、節４３２を中心に、下アーム部材４３０の外側面に沿って回動することが可能となっている。
【００４８】
また、下アーム部材４３０のうち節４３２よりも前方側の端部は、リンク機構のジョイントの一つである節４３３を介して、左側昇降部材１３０の内側面に固定された接続板１３１に対して取り付けられている。下アーム部材４３０は、節４３３を中心に、左側昇降部材１３０に対して相対的に回動することが可能となっている。
【００４９】
上アーム部材４４０は板状のリンクであって、リンク機構のジョイントの一つである節４４２を介して、左側側板２３０の外側面に対して取り付けられている。上アーム部材４４０は、節４４２を中心に、左側側板２３０の外側面に沿って回動することが可能となっている。
【００５０】
また、上アーム部材４４０のうち節４４２よりも前方側の端部は、リンク機構のジョイントの一つである節４４３を介して、左側昇降部材１３０の内側面に固定された操作板１３２に対して取り付けられている。上アーム部材４４０は、節４４３を中心に、左側昇降部材１３０に対して相対的に回動することが可能となっている。
【００５１】
以上のように、左側支持機構４０２は、左側昇降部材１３０と左側側板２３０とを４つの節（節４３２、節４３３、節４４２、節４４３）によって連結する四節リンク機構として構成されている。
【００５２】
下アーム部材４３０のうち節４３２よりも後方側の端部には、外側（右側）に向けて突出する突起４３１が形成されている。突起４３１を後方且つ下方に向けて引くような力を加えると、下アーム部材４３０は節４３２を中心に回動し、節４３３が上昇する。同時に、上アーム部材４４０は節４４２を中心に回動し、節４４３が上昇する。このように、突起４３１を後方且つ下方に向けて引くような力は、節４３３及び節４４３と共に左側昇降部材１３０を上昇させる力に変換される。後に説明するように、モーターユニット３００は、突起４３１に一端が接続されたワイヤＷ２を後方且つ下方に向けて引くことにより、左側昇降部材１３０及び便座Ｓｔを上昇させる。
【００５３】
ところで、節４３３から節４４３までの距離は、節４３２から節４４２までの距離よりも短くなっている。このため、下アーム部材４３０及び上アーム部材４４０が上記のように回動して左側昇降部材１３０及び便座Ｓｔが上昇した際においては、図１に示したように、便座Ｓｔは前方側に向かって下るように傾斜した状態となる。
【００５４】
また、右側支持機構４０１と左側支持機構４０２とは、それぞれの位置及び形状が互いに対称となっている。このため、ワイヤＷ１によって突起４１１が引かれる量（突起４１１の変位量）と、ワイヤＷ２によって突起４３１が引かれる量（突起４３１の変位量）とが同じであれば、右側昇降部材１２０の上昇量と左側昇降部材１３０の上昇量とは同じになる。換言すれば、上昇中における便座Ｓｔの上昇量（高さ）は、左右で同一となる。
【００５５】
モーターユニット３００は、便座Ｓｔを便座受け台１００と共に昇降させるために、ワイヤＷ１とワイヤＷ２を引くことによって便座受け台１００に対して駆動力を加えるものである。図５は、便座Ｓｔが下降した状態の水洗大便器装置Ｃｄを、前方側から見た正面図である。図５に示したように、モーターユニット３００は、水洗大便器装置Ｃｄの右側側面にのみ配置されており、左側側面には配置されていない。モーターユニット３００は、右側側板２２０の外側面に対して固定されている。
【００５６】
図６は、モーターユニット３００の構成を説明するための分解組立図である。図６に示したように、モーターユニット３００は、回転モーター３０１と、ギヤユニット３０２と、第一ドラム３１０と、第二ドラム３２０と、を有している。
【００５７】
回転モーター３０１は電動の回転モーターであって、便座受け台１００に対して加えられる駆動力の発生源である。回転モーター３０１は図示しない制御装置によってその動作（回転の開始及び停止）が制御される。ギヤユニット３０２は、回転モーター３０１の回転数及びトルクを調整して出力するために配置された減速機である。ギヤユニット３０２はシャフト３０３を有しており、回転モーター３０１が回転すると、それに伴ってシャフト３０３が所定の回転速度で回転するように構成されている。
【００５８】
シャフト３０３の先端には、連結フランジ３０６を介して第二ドラム３２０が固定されている。このため、回転モーター３０１が回転すると、第二ドラム３２０はシャフト３０３と共に同一の回転速度で回転する。また、第二ドラム３２０が回転すると、それに追従して第一ドラム３１０も同方向に回転するように構成されている。
【００５９】
第一ドラム３１０はその外周に沿って溝が形成されており、当該溝の内部にワイヤＷ１の一端が固定されている。また、ワイヤＷ１の他端は、既に説明したように下アーム部材４１０の突起４１１に接続されている。図２に示したように、ワイヤＷ１はその一部がプーリーＰＬ１によって支持された状態となっている。プーリーＰＬ１は、右側側板２２０の外側面に対して回転自在に取り付けられている。
【００６０】
図２のように水洗大便器装置Ｃｄを右側から見た場合において、第一ドラム３１０が左方向に回転すると、ワイヤＷ１は第一ドラム３１０に巻き取られる。その結果、突起４１１には後方且つ下方に向けて引くような力が加えられ、右側昇降部材１２０は上昇する。右側側板２２０にはリミットスイッチＬＳ１が取り付けられており、下アーム部材４１０がリミットスイッチＬＳ１の検知部に触れた時点で、図示しない制御装置が回転モーター３０１を停止させる。
【００６１】
一方、第一ドラム３１０が右方向に回転すると、巻き取られていたワイヤＷ１は第一ドラム３１０から送り出される。突起４１１が前方且つ上方に向けて移動するように下アーム部材４１０が回転し、右側昇降部材１２０は下降する。右側側板２２０にはリミットスイッチＬＳ２が取り付けられており、下アーム部材４１０がリミットスイッチＬＳ２の検知部に触れた時点で、図示しない制御装置が回転モーター３０１を停止させる。
【００６２】
第一ドラム３１０の場合と同様に、第二ドラム３２０はその外周に沿って溝が形成されており、当該溝の内部にワイヤＷ２の一端が固定されている。また、ワイヤＷ２の他端は、既に説明したように下アーム部材４３０の突起４３１に接続されている。
【００６３】
図２に示したように、ワイヤＷ２は第二ドラム３２０から上方に向かって伸びており、大便器本体Ｂｗの上面を通って大便器本体Ｂｗの左側側面に渡されている。図４に示したように、大便器本体Ｂｗの左側側面において、ワイヤＷ２はその一部がプーリーＰＬ２及びプーリーＰＬ３によって支持された状態となっている。プーリーＰＬ２及びプーリーＰＬ３は、左側側板２３０の外側面に対して回転自在に取り付けられている。また、これらの他、ワイヤＷ２は大便器本体Ｂｗの上面に配置された複数のプーリー（不図示）によっても支持されている。このように、ワイヤＷ２は大便器本体Ｂｗの右側側面から左側側面へと引き回されているため、ワイヤＷ２の長さはワイヤＷ１の長さよりも長くなっている。
【００６４】
図２のように水洗大便器装置Ｃｄを右側から見た場合において、第二ドラム３２０が左方向に回転すると、ワイヤＷ２は第二ドラム３２０に巻き取られる。その結果、突起４３１には後方且つ下方に向けて引くような力が加えられ、左側昇降部材１３０は上昇する。一方、第二ドラム３２０が右方向に回転すると、巻き取られていたワイヤＷ２は第二ドラム３２０から送り出される。その結果、左側昇降部材１３０は下降する。
【００６５】
図２を再び参照しながら、操作板１２２の構成について詳しく説明する。既に説明したように、操作板１２２は右側昇降部材１２０の内側面に固定されている。また、操作板１２２には、上アーム部材４２０のうち節４２２よりも前方側の端部が節４２３を介して取り付けられている。このように、操作板１２２は、上アーム部材４２０と右側昇降部材１２０との間に配置されており、両者を回動自在な状態で接続している。
【００６６】
操作板１２２は、右側昇降部材１２０の内側面に対して節１２５を介して取り付けられている。操作板１２２は、節１２５を中心に、右側昇降部材１２０の内側面に沿って回動することができる。ただし、水洗大便器装置Ｃｄが使用される通常時においては、操作板１２２はボルト１２６によって右側昇降部材１２０に対して固定されており、操作板１２２の回動は規制されている。すなわち、操作板１２２は右側昇降部材１２０に対して完全に固定されている。
【００６７】
ボルト１２６を取り外すと、操作板１２２は節１２５を中心に回動することが可能となる。図７は、図２に示した状態から、節１２５を中心として操作板１２２を左方向に回動させることにより、節４２３の位置を僅かに上昇させた状態を示している。この状態においては、節４１３から節４２３までの距離は、節４１２から節４２２までの距離と等しくなっている。尚、操作板１２２はこのような位置に配置された後、ボルト１２６によって再び右側昇降部材１２０に対して固定されている。
【００６８】
尚、左側昇降部材１３０の内側面に固定されている操作板１３２は、操作板１２２と同様の構成（対称な構成）となっている。図７においては、図４に示した状態から、操作板１３２を回動させることにより、節４４３の位置を僅かに上昇させている。この状態においては、節４３３から節４４３までの距離は、節４３２から節４４２までの距離と等しくなっている。尚、操作板１３２はこのような位置に配置された後、ボルト１３６によって再び右側昇降部材１２０に対して固定されている。
【００６９】
図８は、図７に示した状態から、ワイヤＷ１及びワイヤＷ２を引くようにモーターユニット３００を動作させ、便座Ｓｔを便座受け台１００と共に上昇させた状態を示している。図８に示したように、便座Ｓｔは前方側に向かって下るように傾斜した状態とはならず、水平な状態を維持したまま上昇している。図３に示した状態から便座Ｓｔの傾斜角度が変化したのは、操作板１２２が回動し、右側昇降部材１２０における上アーム部材４２０の回動中心の位置（右側昇降部材１２０に対する節４２３の相対的な位置）が変更されたことに起因している。また、操作板１３２が回動し、左側昇降部材１３０における上アーム部材４４０の回動中心の位置（左側昇降部材１３０に対する節４４３の相対的な位置）が変更されたことに起因している。
【００７０】
このように、本実施形態に係る便座昇降装置１０では、操作板１２２は、上アーム部材４２０から取り外されることなく、右側昇降部材１２０における上アーム部材４２０の回動中心（節４２３）の位置を変更するものとなっている。また、操作板１３２は、上アーム部材４４０から取り外されることなく、左側昇降部材１３０における上アーム部材４４０の回動中心（節４４３）の位置を変更するものとなっている。このため、狭いトイレ空間の中においても、便座Ｓｔの傾斜角度を容易に変更することが可能となっている。
【００７１】
また、本実施形態においては、上アーム部材４２０のうち操作板１２２と対向する面の一部が、操作板１２２に向かって滑らかに突出するような形状となっている。操作板１２２が上記のように回動する際においては、操作板１２２は、上アーム部材４２０の突出部分（凸部）を乗り越えて移動する。
【００７２】
このため、便座昇降装置１０の使用者等が操作板１２２を掴んで回動させ始めると、操作板１２２は元の位置に向かって付勢される。一方、操作板１２２が上アーム部材４２０の突出部分を乗り越えると、以降は、操作板１２２は逆方向（使用者が操作板１２２を回動させようとする方向）に向かって付勢される。このように、操作板１２２に加えられる力の変化は、操作板１２２を掴んでいる使用者等にはクリック感として感じられる。当該クリック感により、節４２３の位置を変更する操作が完了したかどうかを、使用者等に認識させることが可能となっている。
【００７３】
また、操作板１２２は、図２に示した状態における位置（角度）から、図７に示した状態における位置（角度）までの範囲のみを移動（回転）することが可能となっており、当該範囲を越えて移動することは図示しないストッパによって規制されている。当該ストッパにより、操作された後における操作板１２２の位置が所定の位置以外となってしまうことが防止される。このため、便座Ｓｔが便座受け台１００と共に上昇した際における便座Ｓｔの傾斜角度が、想定外の角度となってしまうことが防止される。すなわち、図３及び図８に示したような角度以外の角度となってしまうことが防止される。
【００７４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
１０：便座昇降装置
１００：便座受け台
１１０：支持部材
１２０：右側昇降部材
１２１：接続板
１２２：操作板
１２５：節
１２６：ボルト
１３０：左側昇降部材
１３１：接続板
１３２：操作板
１３６：ボルト
２００：便器固定台
２１０：天板
２２０：右側側板
２３０：左側側板
３００：モーターユニット
３０１：回転モーター
３０２：ギヤユニット
３０３：シャフト
３０６：連結フランジ
３１０：第一ドラム
３２０：第二ドラム
４００：支持機構
４０１：右側支持機構
４０２：左側支持機構
４１０：下アーム部材
４１１：突起
４１２，４１３：節
４２０：上アーム部材
４２２，４２３：節
４３０：下アーム部材
４３１：突起
４３２，４３３：節
４４０：上アーム部材
４４２，４４３：節
Ｂｗ：大便器本体
Ｃｄ：水洗大便器装置
ＬＳ１，ＬＳ２：リミットスイッチ
ＰＬ１，ＰＬ２，ＰＬ３：プーリー
Ｓｔ：便座
Ｗ１，Ｗ２：ワイヤ
【図６】
2014188076.tif 000003
【図１】
2014188076.tif 000004
【図２】
2014188076.tif 000005
【図３】
2014188076.tif 000006
【図４】
2014188076.tif 000007
【図５】
2014188076.tif 000008
【図７】
2014188076.tif 000009
【図８】
2014188076.tif 000010